(57)【特許請求の範囲】
【請求項１】
内容物を収納する容器本体と、該容器本体の口頚部に抜け止め保持され、該口頚部の周りに沿い周方向の左右に交互に回動させて内容物の排出量をそれぞれ切り替えるキャップとを備えた振り出し容器であって、
前記キャップは、前記口頚部を取り囲む環状体と、該環状体の上端部につながり、内容物の排出孔を残して該口頚部を閉塞する天板とを備え、
前記口頚部に、該口頚部の一部を外方へ向けて突出させてその内側を内容物の排出経路とする区画凹所を形成し、
前記環状体の内面壁に、前記キャップの周方向の左右の回動に際して前記区画凹所を形成する連結壁部に突き当たって該キャップの回動を停止させる内側リブを設け、
前記天板の排出孔は、前記内側リブによる該キャップの回動停止姿勢でのみ前記区画凹所に連通して内容物の少量排出又は大量排出を可能とするものであることを特徴とする振り出し容器。
【請求項２】
前記環状体の内面壁に相対する前記口頚部の外壁面に、前記環状体の内面壁の手前まで突出し、前記内側リブとの係合により前記キャップの閉塞姿勢を維持する位置決めリブを設けた請求項１記載の振り出し容器。
【請求項３】
前記口頚部に、前記環状体の内面壁と当接して前記容器本体内への外気の侵入を阻止する環状リブを形成した請求項１又は２に記載の振り出し容器。
【発明の詳細な説明】
【技術分野】
【０００１】
本発明は、容器を反転した状態で、この容器を上下に振動させる振り出し動作によって容器内の内容物を排出する振り出し容器に関するものであり、内容物の排出量の切り替えを簡易な構造で実現しようとするものである。
【背景技術】
【０００２】
粒子径の小さい、例えば、塩やこしょう等の調味料を入れる容器としては、複数種の排出孔群を設けた中蓋を容器の口部に装着するとともに、口部の周りに回動自在に取り付けられる外蓋に、その排出孔群の開放、閉鎖を行う切り欠き部を設け、外蓋の回動によって何れか一つの排出孔群に切り欠き部を適合させて排出量の切り替えを行えるようにした振り出し容器が知られている（例えば特許文献１参照）。
【先行技術文献】
【特許文献】
【０００３】
【特許文献１】実開昭６０−１９３０４８号公報
【発明の概要】
【発明が解決しようとする課題】
【０００４】
ところで、上記のような振り出し容器は、外蓋を回動させるだけで内容物の排出量を切り替えることが可能であるが、容器本体及び中蓋に加え外蓋も必要となる３パーツ構成であるため、容器を構成する部品数が増加して、コストの増大が不可避となっていた。
【０００５】
本発明の課題は、容器を反転させたまま上下に振動させる振り出し動作によって容器内の内容物を排出する振り出し容器に関し、内容物の排出量の切り替えを簡易な構造で実現するとともに、異なる排出量の切り替えを確実に行うことができて使い勝手の良い振り出し容器を提案するところにある。
【課題を解決するための手段】
【０００６】
本発明は、内容物を収納する容器本体と、該容器本体の口頚部に抜け止め保持され、該口頚部の周りに沿い周方向の左右に交互に回動させて内容物の排出量をそれぞれ切り替えるキャップとを備えた振り出し容器であって、
前記キャップは、前記口頚部を取り囲む環状体と、該環状体の上端部につながり、内容物の排出孔を残して該口頚部を閉塞する天板とを備え、
前記口頚部に、該口頚部の一部を外方へ向けて突出させてその内側を内容物の排出経路とする区画凹所を形成し、
前記環状体の内面壁に、前記キャップの周方向の左右の回動に際して前記区画凹所を形成する連結壁部に突き当たって該キャップの回動を停止させる内側リブを設け、
前記天板の排出孔は、前記内側リブによる該キャップの回動停止姿勢でのみ前記区画凹所に連通して内容物の少量排出又は大量排出を可能とするものであることを特徴とする振り出し容器である。
【０００７】
前記環状体の内面壁に相対する前記口頚部の外壁面に、前記環状体の内面壁の手前まで突出し、前記内側リブとの係合により前記キャップの閉塞姿勢を維持する位置決めリブを設けることが好ましい。
【０００８】
前記口頚部に、前記環状体の内面壁と当接して前記容器本体内への外気の侵入を阻止する環状リブを形成することが好ましい。
【発明の効果】
【０００９】
容器本体の口頚部の一部を外方へ向けて突出させて、その内側を内容物の排出経路とする区画凹所を形成し、口頚部を取り囲むキャップの環状体の内壁面に、キャップの周方向の左右の回動に際して区画凹所を形成する連結壁部に突き当たってキャップの回動を停止させる内側リブを設け、キャップの天板に設けられた排出孔を、キャップの回動停止姿勢でのみ区画凹所に連通して、内容物の少量排出又は大量排出を可能とする、二種類の排出孔からなるものとしたので、キャップの回動方向に応じて内容物の排出量を切り替えることができる。この場合、キャップを停止するまで回動すれば、確実に排出孔と区画凹所が連通するので、常に所期する量の内容物を排出させることができる。さらに、本発明に従う振り出し容器は、容器本体とキャップとの２つの部材で構成されるので、部品点数の削減を図ることができる。
【００１０】
容器の口頚部の外壁面に、キャップ環状体の内面壁の手前まで突出し、内側リブとの係合によりキャップの閉塞姿勢を維持する位置決めリブを設ける場合は、キャップの不用意な回動によって、内容物が意図せず排出することを防止することができる。
【００１１】
容器の口頚部に、キャップ環状体の内面壁と当接して容器本体内への外気の侵入を阻止する環状リブを形成する場合は、湿気等の容器本体内への侵入を抑制することができるので、内容物が容器本体内で固まることによる排出の阻害や、内容物の変質等を有効に抑えることができる。
【図面の簡単な説明】
【００１２】
【図１】本発明に従う振り出し容器の実施の形態を示す平面図であって、排出孔と区画凹所とが連通していない、キャップの閉塞姿勢を示す図である。
【図２】図１に示す振り出し容器のＡ−Ａに沿う断面図である。
【図３】図１に示す振り出し容器のＢ−Ｂに沿う部分拡大断面図である。
【図４】図１に示す振り出し容器の容器本体の要部を示す部分拡大斜視図である。
【図５】図１に示す振り出し容器の使用状態を示す図であって、図１に示す状態からカバーを開き、キャップを容器本体に対して反時計回りに回動させ、キャップの内側リブが区画凹所を形成する連結壁部に突き当たって区画凹所と大量排出用の排出孔とが連通する、大量排出時のキャップの回動停止姿勢を示す部分拡大平面図である。
【図６】図１に示す振り出し容器の使用状態を示す図であって、図１に示す状態からカバーを開き、キャップを容器本体に対して時計回りに回動させ、キャップの内側リブが区画凹所を形成する連結壁部に突き当たって区画凹所と小量排出用の排出孔とが連通する、小量排出時のキャップの回動停止姿勢を示す部分拡大平面図である。
【図７】本発明に従う振り出し容器の他の実施の形態を示す部分拡大斜視図である。
【図８】図７に示す振り出し容器のＣ−Ｃに沿う部分拡大断面図である。
【発明を実施するための形態】
【００１３】
以下、図面を参照して、本発明をより具体的に説明する。
図１は、本発明に従う振り出し容器の実施の形態を示す平面図であり、排出孔と区画凹所とが連通していない、キャップの閉塞姿勢を示す図であって、図２は、図１に示す振り出し容器のＡ−Ａに沿う断面図であり、図３は、図１に示す振り出し容器のＢ−Ｂに沿う部分拡大断面図であり、図４は、図１に示す振り出し容器の容器本体の要部を示す部分拡大斜視図であり、図５は、図１に示す振り出し容器の使用状態を示す図であって、図１に示す状態からカバーを開き、キャップを容器本体に対して反時計回りに回動させ、キャップの内側リブが区画凹所を形成する連結壁部に突き当たって区画凹所と大量排出用の排出孔とが連通する、大量排出時のキャップの回動停止姿勢を示す部分拡大平面図であり、図６は、図１に示す振り出し容器の使用状態を示す図であって、図１に示す状態からカバーを開き、キャップを容器本体に対して時計回りに回動させ、キャップの内側リブが区画凹所を形成する連結壁部に突き当たって区画凹所と小量排出用の排出孔とが連通する、小量排出時のキャップの回動停止姿勢を示す部分拡大平面図であり、図７は、本発明に従う振り出し容器の他の実施の形態を示す部分拡大斜視図であり、図８は、図７に示す振り出し容器のＣ−Ｃに沿う部分拡大断面図である。
【００１４】
図１及び図２において、１は容器本体である。容器本体１は、底部１ａの外縁から立ち上がる胴部１ｂを有し、頂部を開口させた口頚部１ｃを肩部１ｄを介して連結して、その内側に内容物の収納空間Ｍを形成している。
【００１５】
口頚部１ｃは、肩部１ｄとの連結部から立ち上がる口頚根元部１ｃ１と、口頚根元部１ｃ１の上部に位置し、口頚根元部１ｃ１よりも小径となる口頚先端部１ｃ２と、口頚根元部１ｃ１と口頚先端部１ｃ２との相互間を縮径しながら連結する口頚中間部１ｃ３とを備えている。また、口頚根元部１ｃ１と口頚中間部１ｃ３との境界には、径方向外側に向けて突出する環状の支持リブ１ｃ４が設けられ、口頚先端部１ｃ２の頂部には、径方向外側に向けて突出するフランジ１ｃ５が形成されている。
【００１６】
また口頚部１ｃは、図4に示すように、その口頚部１ｃの一部を外方へ向けて突出させてその内側に区画凹所１ｃ６を形成している。図示の例で区画凹所１ｃ６は、フランジ１ｃ５の径方向外側端面と同一面となる拡径壁１ｃ７と、拡径壁１ｃ７と口頚先端部１ｃ２とを連結する連結壁部１ｃ８とからなる区画壁で区画形成されている。拡径壁１ｃ７の内面壁は、図２に示すように、口頚部１ｃの頂部に向かって口頚部１ｃの開口面積を広げる向きに傾斜する傾斜壁１ｃ９となっていて、区画凹所１ｃ６の背面側には、支持リブ１ｃ４とフランジ１ｃ５とを連結する補強リブ１ｃ１０が形成されている。
【００１７】
さらに口頚部１ｃは、口頚根元部１ｃ１から径方向外側に向けて突出する環状リブ１ｃ１１と、図１、図３に示すように口頚先端部１ｃ２から突出し、その先端がフランジ１ｃ５の径方向外側端面よりも径方向内側に位置する位置決めリブ１ｃ１２とを備えている。なお図示の例では、位置決めリブ１ｃ１２を２個設けた場合を示している。
【００１８】
図１及び図２において、２は容器本体１に対して回動可能に取り付けられるキャップである。キャップ２は、容器本体１に取り付けた状態で、口頚部１ｃを取り囲んで支持リブ１ｃ４、フランジ１ｃ５の径方向外側端面、拡径壁１ｃ７、及び補強リブ１ｃ１０で支持される環状体２ａと、環状体２ａの上端部とつながって口頚部１ｃを閉塞する天板２ｂとを備えている。天板２ｂはその裏面縁部がフランジ１ｃ５の上面で支持されるので、容器本体１に対して安定して回動させることができる。また天板２ｂには、容器本体１に取り付けられた状態で口頚部１ｃの頂部よりも径方向外側に位置する天板２ｂの縁部に、その表裏を貫通させた内容物を排出する排出孔２ｃが設けられている。ここで排出孔２ｃは、内容物を少量排出するための少量排出孔２ｃ１と、大量排出するための大量排出孔２ｃ２との二種類からなり、図１に示す例では、同径となる４つの孔を、区画凹所１ｃ６を挟んで１個と３個とに分けて配置していて、１個側を少量排出孔２ｃ１とし、３個側を大量排出孔２ｃ２としている。なお、少量排出孔２ｃ１と大量排出孔２ｃ２とは、孔の開孔面積が少量排出孔２ｃ１よりも大量排出孔２ｃ２の方が大きければよく、孔の数には限定されない。例えば大量排出孔２ｃ２は、図示した３個の孔を連結して１個の長孔とすることもできる。
【００１９】
環状体２ａの内面壁には、径方向内側に向けて突出する環状の凸部２ａ１が形成されている。これにより、キャップ２を容器本体１に取り付けると、口頚部１ｃの環状リブ１ｃ１１とキャップ２の凸部２ａ１とが係合して抜け止め保持される。この時環状リブ１ｃ１１は、環状体２ａの内面壁と当接していて、それらの相互間からの外気の侵入を阻止することができる。
【００２０】
また、環状体２ａの内面壁には、図１、図３に示すように、径方向内側に向けて突設する内側リブ２ａ２が設けられている。図１に示す例で内側リブ２ａ２は２個設けられていて、それぞれの内側リブ２ａ２の両側側面壁のうち、区画凹所１ｃ６に対向する側の側面壁は、各位置決めリブ１ｃ１２と当接している。
【００２１】
環状体２ａの外面壁には、図３に示すように、容器の軸線方向に沿って延びる複数の溝を周方向に沿って配置した指掛かり部２ａ３が設けられている。これにより、キャップ２を回動させる際には、指掛かり部２ａ３によって指が滑ることないので、キャップ２を安定して回動させることができる。
【００２２】
また図示した例でキャップ２は、天板２ｂに覆い被さるカバー３を備えている。カバー３は、ヒンジ３ａを介して天板２ｂと連結されており、図５、図６に示すようにヒンジ３ａを挟んで両側に弾性片３ｂが設けられている。ヒンジ３ａの反対側には、カバー３を開く際の指掛かりとなる操作片３ｃが形成されている。これにより、操作片３ｃに指をかけてカバー３を開く際には、弾性片３ｂによってカバー３が跳ね上がり開姿勢を維持することができる。またカバー３の裏面には、図３の拡大図で示すように、排出孔２ｃに対応して突設させたピン３ｄが設けられており、カバー３が天板２ｂに覆い被さる閉姿勢では、ピン３ｄが排出孔２ｃに挿入される。これにより、排出孔２ｃに内容物が残留していても、カバー３を閉姿勢にして排出孔２ｃから押し出すことができるので、内容物の詰まりが有効に防止される。さらにカバー３の端縁から垂下される縁部周壁３ｅには、その内面壁に環状の凸部３ｅ１が形成されていて、カバー３の閉姿勢においては、凸部３ｅ１がキャップ２の天板２ｂを縁取って形成される段部２ｂ１の外面壁と当接するので、それらの相互間からの外気の侵入を阻止することができる。
【００２３】
上記のように構成される振り出し容器から大量の内容物を排出する場合には、カバー３を図１に示す閉姿勢から図５に示す開姿勢に変位させ、キャップ２を、図１に示す閉塞姿勢から容器本体１に対して反時計回り（周方向左周り）に回動させる。この時キャップ２を、図５に示すように内側リブ２ａ２が連結壁部１ｃ８に突き当たるまで回動させることで（大量排出時のキャップの回動停止姿勢）、区画凹所１ｃ６と大量排出孔２ｃ２とが連通する。この状態から容器を反転させ、容器を上下に振動させる振り出し動作をおこなうことで、容器本体１内の内容物を大量に排出することができる。一方、内容物の排出が少量である場合は、キャップ２を、図１に示す閉塞姿勢から容器本体１に対して時計回り（周方向右回り）に回動させる。この時キャップ２を、図６に示すように内側リブ２ａ２が連結壁部１ｃ８に突き当たるまで回動させることで（小量排出時のキャップの回動停止姿勢）、区画凹所１ｃ６と小量排出孔２ｃ１とが連通する。この状態から容器を反転させ、容器を上下に振動させる振り出し動作をおこなうことで、容器本体１内の内容物を小量だけ排出することができる。これらの場合、容器本体１内の内容物は、経路を狭められた区画凹所１ｃ６を排出経路としているので、内容物の残量に左右されずに常時一定量が排出孔２ｃに向かうこととなり、内容物の排出量の変動を抑えることができる。また、区画凹所１ｃ６の開口付近は、傾斜壁１ｃ９で傾斜しているので、容器本体１の反転姿勢が水平に近い状態でも内容物を排出することができる。
【００２４】
他方、内容物の排出を行わない場合は、キャップ２を回動させて図１に示すキャップの閉塞姿勢に変位させる。この時２つの内側リブ２ａ２のそれぞれは、２つの位置決めリブ１ｃ１２のそれぞれと係合してキャップ２の回り止めとなっているので、閉塞姿勢を維持することができる。なお、位置決めリブ１ｃ１２と環状体２ａの内面壁との間には隙間が形成されているので、キャップに比較的強い回動力を与えると、内側リブ２ａ２は位置決めリブ１ｃ１２を乗り越えることができる。
【００２５】
図７、図８は、本発明に従う振り出し容器の他の実施の形態を示す図であり、天板２ｂの中央部に内容物を詰め替えるための中栓４を設けた場合を示している。図示の例で中栓４は、下向き凸状の中栓本体４ａの外縁にフランジ４ｂを備えており、中栓本体４ａの頂部には径方向内側に向けて延びる取り外し片４ｃが設けられている。また天板２ｂには開口２ｂ２が設けられ、開口２ｂ２の縁部にはフランジ４ｂに適合する段部２ｂ３が形成されている。中栓４は開口２ｂ２に押し込まれて保持されるので、容器本体１を反転させても外れることがなく、常時取り付けた状態で使用できる。また、詰替え時には、取り外し片４ｃを引き上げることで簡単に取り外すことができる。
【産業上の利用可能性】
【００２６】
本発明によれば、内容物の排出量の切り替えを簡易な構造で実現するとともに、異なる排出量の切り替えを確実に行うことができて使い勝手の良い振り出し容器を提供できる。
【符号の説明】
【００２７】
１      容器本体
１ｃ    口頚部
１ｃ４  支持リブ
１ｃ５  フランジ
１ｃ６  区画凹所
１ｃ７  拡径壁
１ｃ８  連結壁部
１ｃ９  傾斜壁
１ｃ１０  補強リブ
１ｃ１１  環状リブ
１ｃ１２  位置決めリブ
２      キャップ
２ａ    環状体
２ａ１  凸部
２ａ２  内側リブ
２ｂ    天板
２ｃ    排出孔
２ｃ１  少量排出孔
２ｃ２  大量排出孔
３      カバー
４      中栓
Ｍ      収納空間
【図１】
0005518759.tif 000002
【図２】
0005518759.tif 000003
【図３】
0005518759.tif 000004
【図４】
0005518759.tif 000005
【図５】
0005518759.tif 000006
【図６】
0005518759.tif 000007
【図７】
0005518759.tif 000008
【図８】
0005518759.tif 000009